(57)【要約】【課題】  本発明は、照合に適した複数の生体情報を登録することにより、生体情報認証時の照合精度を向上させることができる生体情報認証装置および生体情報認証方法を提供することを目的とする。【解決手段】  本発明の生体情報認証装置は、生体情報認証を行うために予め登録すべき第１の生体情報を入力する生体情報入力部１１と、前記第１の生体情報を照合するための第２の生体情報を記憶する登録生体情報データベース１２と、前記第１の生体情報と前記第２の生体情報との類似度を算出する生体情報識別部１３と、を備える生体情報認証装置であって、前記第１の生体情報と前記第２の生体情報との類似度が所定の数値範囲にある場合、前記第１の生体情報を前記第２の生体情報と同一対象者の生体情報として前記記憶手段に記憶させる生体情報識別部１３を備えるものである。【選択図】  図１
2006127236.tif 000002
【特許請求の範囲】
【請求項１】
生体情報認証を行うために予め登録すべき第１の生体情報を入力する入力手段と、前記第１の生体情報を照合するための第２の生体情報を記憶する記憶手段と、前記第１の生体情報と前記第２の生体情報との類似度を算出する算出手段と、を備える生体情報認証装置であって、
前記第１の生体情報と前記第２の生体情報との類似度が所定の数値範囲にある場合、前記第１の生体情報を前記第２の生体情報と同一対象者の生体情報として前記記憶手段に記憶させる登録手段を備える生体情報認証装置。
【請求項２】
請求項１記載の生体情報認証装置であって、
前記記憶手段は、前記第１、第２の生体情報を含む、同一対象者の複数の生体情報を記憶し、
前記入力手段は、生体情報認証を行うために予め登録すべき第３の生体情報を入力し、
前記算出手段は、前記第３の生体情報と前記複数の生体情報各々との類似度を算出し、
前記登録手段は、前記第３の生体情報と前記複数の生体情報各々との類似度の少なくとも１つが所定の数値範囲にある場合、前記第３の生体情報を前記複数の生体情報と同一対象者の生体情報として前記記憶手段に記録させる生体情報認証装置。
【請求項３】
請求項２記載の生体情報認証装置であって、
前記登録手段は、前記第３の生体情報と前記複数の生体情報各々との類似度の少なくとも１つが、前記複数の生体情報の個数に応じて調整した所定の数値範囲にある場合、前記第３の生体情報を前記複数の生体情報と同一対象者の生体情報として前記記憶手段に記録させる生体情報認証装置。
【請求項４】
請求項２または３記載の生体情報認証装置であって、
前記入力手段により入力した生体情報と前記記憶手段に記憶した前記複数の生体情報とが同一対象者の生体情報であるか否かを判定する判定手段を備え、
前記入力手段は、生体情報認証を行うための第４の生体情報を入力し、
前記算出手段は、前記第４の生体情報と前記複数の生体情報各々との類似度を算出し、
前記判定手段は、前記第４の生体情報と前記複数の生体情報各々との類似度に基づいて、前記第４の生体情報と前記複数の生体情報とが同一対象者の生体情報であるか否かを判定する生体情報認証装置。
【請求項５】
請求項４記載の生体情報認証装置であって、
前記登録手段は、前記判定手段により判定した後、前記第４の生体情報と前記複数の生体情報各々との類似度の少なくとも１つが所定の数値範囲にある場合、前記第４の生体情報を前記複数の生体情報と同一対象者の生体情報として前記記憶手段に記録させる生体情報認証装置。
【請求項６】
予め登録した生体情報を用いて生体認証を行う生体情報認証方法であって、
生体情報認証を行うために予め登録すべき第１の生体情報を入力する第１の入力ステップと、
前記第１の生体情報と、前記第１の生体情報を照合するために予め登録した第２の生体情報と、の類似度を算出する第１の算出ステップと、
前記第１の生体情報と前記第２の生体情報との類似度が所定の数値範囲にある場合、前記第１の生体情報を前記第２の生体情報と同一対象者の生体情報として登録する第１の登録ステップと、
を有する生体情報認証方法。
【請求項７】
請求項６記載の生体情報認証方法であって、
生体情報認証を行うために予め登録すべき第３の生体情報を入力する第２の入力ステップと、
前記第３の生体情報と、前記第１の登録ステップで登録した前記第１、第２の生体情報を含む、同一対象者の複数の生体情報の各々と、の類似度を算出する第２の算出ステップと、
前記第３の生体情報と前記複数の生体情報各々との類似度の少なくとも１つが所定の数値範囲にある場合、前記第３の生体情報を前記複数の生体情報と同一対象者の生体情報として登録する第２の登録ステップと、
を有する生体情報認証方法。
【請求項８】
請求項７記載の生体情報認証方法であって、
前記複数の生体情報の個数に応じて、前記所定の数値範囲を調整する調整ステップとを有し、
前記第２の登録ステップは、前記第３の生体情報と前記複数の生体情報各々との類似度の少なくとも１つが、前記調整ステップで調整した所定の数値範囲にある場合、前記第３の生体情報を前記複数の生体情報と同一対象者の生体情報として登録する生体情報認証方法。
【請求項９】
請求項７または８記載の生体情報認証方法であって、
生体情報認証を行うための第４の生体情報を入力する第３の入力ステップと、
前記第４の生体情報と前記複数の生体情報各々との類似度を算出する第３の算出ステップと、
前記第４の生体情報と前記複数の生体情報各々との類似度に基づいて、前記第４の生体情報と前記複数の生体情報とが同一対象者の生体情報であるか否かを判定する判定ステップと、
を有する生体情報認証方法。
【請求項１０】
請求項９記載の生体情報認証方法であって、
前記判定ステップにより判定した後、前記第４の生体情報と前記複数の生体情報各々との類似度の少なくとも１つが所定の数値範囲にある場合、前記第４の生体情報を前記複数の生体情報と同一対象者の生体情報として登録する第３の登録ステップを有する生体情報認証方法。
【発明の詳細な説明】
【技術分野】
【０００１】
本発明は、予め登録した生体情報認証対象者の生体情報を用いて、該当認証対象者を照合する生体情報認証装置および生体情報認証方法に関する。
【背景技術】
【０００２】
指紋、声紋、顔または虹彩などの人間の生体情報を利用して該当人物か否かを照合する生体情報認証装置は、多種の製品に備えられ、様々な環境状況下で利用されている。
【０００３】
生体情報認証装置使用者は、生体情報認証装置が様々な環境状況下で利用されるようになると、認証を行う毎に、常に同じ状態の生体情報を生体情報認証装置に入力することがますます困難になってしまう。例えば、指紋認証であれば、指に付着した水分の量によって、状態の異なる指紋情報を生体情報認証装置に入力することになる。また、声紋認証であれば、体調、特に喉の調子、によって、状態の異なる声紋情報を生体情報認証装置に入力することになる。また、顔認証であれば、顔への光の照射具合いによって、状態の異なる顔情報を生体情報認証装置に入力することになる。
【０００４】
このように、認証を行う毎に状態の異なる生体情報を生体情報認証装置に入力することは、予め生体情報認証装置に登録しておく生体情報が１つの場合、同一の認証対象者により照合を行ったとしても認証開始時に入力した生体情報と予め登録しておいた生体情報とを同一の生体情報として判定しない場合が増えるため、生体情報認証装置の照合精度を低下させる原因になってしまう。このため、生体情報認証装置の照合精度を向上させるために、１人の認証対象者に付き、できるだけ多くのバリエーションの生体情報を生体情報認証装置に登録した方がよいことが理解されている。
【０００５】
従来の生体情報照合装置としては、認証対象者に対応付けて、認証対象者毎の様々な表情の顔画像、および、上向き顔、下向き顔または横向き顔などの顔の方向が任意角度に異なる複数の顔画像を登録した生体情報照合装置がある（特許文献１参照）。この生体情報照合装置によれば、同一認証対象者の複数の顔画像を照合判定に用いることにより、照合精度を高めることができる。
【０００６】
【特許文献１】特開２００３−３４６１４９号公報
【発明の開示】
【発明が解決しようとする課題】
【０００７】
しかしながら、上記の従来の生体情報照合装置は、認証対象者自身が状態の異なると主観的に評価した複数の生体情報を登録しているため、類似した複数の生体情報を登録してしまったり、逆に、認証に用いる生体情報とはかけ離れた複数の生体情報を登録してしまうことがある。類似した生体情報を生体照合装置に数多く登録しても、実質的に生体情報のバリエーションは狭いため、また、認証に用いる生体情報とはかけ離れた生体情報を生体照合装置に数多く登録しても、認証開始時に入力する生体情報との関連が薄いため、照合精度の向上には繋がらない。
【０００８】
本発明は、上記事情に鑑みてなされたもので、照合に適した複数の生体情報を登録することにより、生体情報認証時の照合精度を向上させることができる生体情報認証装置および生体情報認証方法を提供することを目的とする。
【課題を解決するための手段】
【０００９】
本発明の生体情報認証装置は、生体情報認証を行うために予め登録すべき第１の生体情報を入力する入力手段と、前記第１の生体情報を照合するための第２の生体情報を記憶する記憶手段と、前記第１の生体情報と前記第２の生体情報との類似度を算出する算出手段と、を備える生体情報認証装置であって、前記第１の生体情報と前記第２の生体情報との類似度が所定の数値範囲にある場合、前記第１の生体情報を前記第２の生体情報と同一対象者の生体情報として前記記憶手段に記憶させる登録手段を備えるものである。
【００１０】
本発明の生体情報認証方法は、予め登録した生体情報を用いて生体認証を行う生体情報認証方法であって、生体情報認証を行うために予め登録すべき第１の生体情報を入力する第１の入力ステップと、前記第１の生体情報と、前記第１の生体情報を照合するために予め登録した第２の生体情報と、の類似度を算出する第１の算出ステップと、前記第１の生体情報と前記第２の生体情報との類似度が所定の数値範囲にある場合、前記第１の生体情報を前記第２の生体情報と同一対象者の生体情報として登録する第１の登録ステップと、を有するものである。
【００１１】
この構成により、類似度に基づいて決定した、照合に適した生体情報を登録することにより、生体情報認証時の照合精度を向上させることができる
【００１２】
また、本発明の生体情報認証装置は、前記記憶手段は、前記第１、第２の生体情報を含む、同一対象者の複数の生体情報を記憶し、前記入力手段は、生体情報認証を行うために予め登録すべき第３の生体情報を入力し、前記算出手段は、前記第３の生体情報と前記複数の生体情報各々との類似度を算出し、前記登録手段は、前記第３の生体情報と前記複数の生体情報各々との類似度の少なくとも１つが所定の数値範囲にある場合、前記第３の生体情報を前記複数の生体情報と同一対象者の生体情報として前記記憶手段に記録させるものを含む。
【００１３】
また、本発明の生体情報認証方法は、生体情報認証を行うために予め登録すべき第３の生体情報を入力する第２の入力ステップと、前記第３の生体情報と、前記第１の登録ステップで登録した前記第１、第２の生体情報を含む、同一対象者の複数の生体情報の各々と、の類似度を算出する第２の算出ステップと、前記第３の生体情報と前記複数の生体情報各々との類似度の少なくとも１つが所定の数値範囲にある場合、前記第３の生体情報を前記複数の生体情報と同一対象者の生体情報として登録する第２の登録ステップと、を有するものを含む。
【００１４】
この構成により、類似度に基づいて決定した、照合に適した複数の生体情報を登録することにより、生体情報認証時の照合精度を向上させることができる
【００１５】
また、本発明の生体情報認証装置は、前記登録手段は、前記第３の生体情報と前記複数の生体情報各々との類似度の少なくとも１つが、前記複数の生体情報の個数に応じて調整した所定の数値範囲にある場合、前記第３の生体情報を前記複数の生体情報と同一対象者の生体情報として前記記憶手段に記録させるものを含む。
【００１６】
また、本発明の生体情報認証方法は、前記複数の生体情報の個数に応じて、前記所定の数値範囲を調整する調整ステップとを有し、前記第２の登録ステップは、前記第３の生体情報と前記複数の生体情報各々との類似度の少なくとも１つが、前記調整ステップで調整した所定の数値範囲にある場合、前記第３の生体情報を前記複数の生体情報と同一対象者の生体情報として登録するものを含む。
【００１７】
この構成により、既に登録している複数の生体情報の個数に応じて所定の数値範囲を調整することにより、入力した生体情報を効果的に登録することができる。
【００１８】
また、本発明の生体情報認証装置は、前記入力手段により入力した生体情報と前記記憶手段に記憶した前記複数の生体情報とが同一対象者の生体情報であるか否かを判定する判定手段を備え、前記入力手段は、生体情報認証を行うための第４の生体情報を入力し、前記算出手段は、前記第４の生体情報と前記複数の生体情報各々との類似度を算出し、前記判定手段は、前記第４の生体情報と前記複数の生体情報各々との類似度に基づいて、前記第４の生体情報と前記複数の生体情報とが同一対象者の生体情報であるか否かを判定するものを含む。
【００１９】
また、本発明の生体情報認証方法は、生体情報認証を行うための第４の生体情報を入力する第３の入力ステップと、前記第４の生体情報と前記複数の生体情報各々との類似度を算出する第３の算出ステップと、前記第４の生体情報と前記複数の生体情報各々との類似度に基づいて、前記第４の生体情報と前記複数の生体情報とが同一対象者の生体情報であるか否かを判定する判定ステップと、を有するものを含む。
【００２０】
この構成により、照合に適した生体情報を用いて生体情報認証を行うことにより、照合精度を向上させることができる
【００２１】
また、本発明の生体情報認証装置は、前記登録手段は、前記判定手段により判定した後、前記第４の生体情報と前記複数の生体情報各々との類似度の少なくとも１つが所定の数値範囲にある場合、前記第４の生体情報を前記複数の生体情報と同一対象者の生体情報として前記記憶手段に記録させるものを含む。
【００２２】
また、本発明の生体情報認証方法は、前記判定ステップにより判定した後、前記第４の生体情報と前記複数の生体情報各々との類似度の少なくとも１つが所定の数値範囲にある場合、前記第４の生体情報を前記複数の生体情報と同一対象者の生体情報として登録する第３の登録ステップを有するものを含む。
【００２３】
この構成によれば、同一対象の生体情報でないと判定した生体情報のうち、既に登録した生体情報各々との類似度の少なくとも１つが所定の数値範囲にあるものを登録することにより、入力した生体情報を効率的に利用することができる。
【発明の効果】
【００２４】
本発明の生体情報認証装置および生体情報認証方法によれば、照合に適した複数の生体情報を登録することにより、生体情報認証時の照合精度を向上させることができる。
【発明を実施するための最良の形態】
【００２５】
本発明の実施の形態の生体情報認証装置について、図面を参照して詳細に説明する。図1に、本発明の実施の形態の生体情報認証装置の構成図を示す。
【００２６】
本発明の実施の形態の生体情報認証装置は、認証対象者の生体情報を入力する生体情報入力部１１と、認証対象者の生体情報を記憶する登録生体情報データベース１２と、生体情報入力部１１に入力した生体情報のうち、登録可能と判定した生体情報を登録生体情報データベース１２に登録する生体情報識別部１３と、生体情報入力部１１に入力した生体情報と登録生体情報データベースに登録した生体情報とを照合する生体情報照合部１４と、を含んで構成される。なお、生体情報入力部１１は、特許請求の範囲記載の入力手段の機能を備える。また、登録生体情報データベース１２は、特許請求の範囲記載の記憶手段の機能を備える。また、生体情報識別部１３は、特許請求の範囲記載の算出手段および登録手段の機能を備える。また、生体情報照合部１４は、特許請求の範囲記載の算出手段および判定手段の機能を備える。
【００２７】
本発明の実施の形態の生体情報認証装置に認証対象者の生体情報を登録する際の各部の処理を説明する。まず、登録生体情報データベース１２に認証対象者の生体情報が記憶されていない場合、生体情報入力部１１が認証対象者の生体情報（Ａ）の入力を受け付けると、生体情報識別部１３は、生体情報入力部１１に入力した生体情報（Ａ）を認証対象者に対応させて登録生体情報データベース１２に登録する。
【００２８】
この後、生体情報入力部１１が同一認証対象者の別の生体情報（Ｂ）の入力を受け付けると、生体情報識別部１３は、登録生体情報データベース１２に先に登録した生体情報（Ａ）と生体情報入力部１１に入力した同一認証対象者の別の生体情報（Ｂ）との類似度を算出する。生体情報識別部１３は、生体情報（Ａ）と別の生体情報（Ｂ）との類似度が所定の数値範囲にあれば、生体情報入力部１１に入力した別の生体情報（Ｂ）を同一の認証対象者の生体情報と判定し、同一の認証対象者の生体情報として登録生体情報データベース１２に追加して登録する。
【００２９】
図２に、本発明の実施の形態の生体情報認証装置における、生体情報を登録可能な類似度の数値範囲の一例を示す。生体情報識別部１３では、登録生体情報データベース１２に認証用の生体情報を登録可能か否かの基準となる所定の数値範囲が１０％から４０％に設定されている。生体情報識別部１３は、所定の数値範囲が１０％から４０％に設定されることにより、生体情報入力部１１に入力した生体情報のうち０％から１０％の類似度のもの、即ち、認証時に生体情報入力部１１に入力する生体情報との関連が薄いもの、を登録しないようにすることができる。また、生体情報識別部１３は、生体情報入力部１１に入力した生体情報のうち４０％から１００％の類似度のもの、即ち、既に登録生体情報データベースに登録した生体情報と類似して、認証対象者の生体情報のバリエーションが変わらないもの、を登録しないようにすることができる。
【００３０】
本発明の実施の形態の生体情報認証装置は、認証用の生体情報を登録する際に、上述の所定の数値範囲に含まれる類似度を有する生体情報を登録するため、生体情報認証に適した生体情報を登録生体情報データベース１２に登録することができる。なお、所定の数値範囲における、始点の数値または終点の数値を調整して、認証により適した生体情報を登録生体情報データベースに登録するようにしてもよい。
【００３１】
登録生体情報データベース１２が生体情報（Ｂ）を記憶した後、生体情報入力部１１が、本発明の実施の形態の生体情報認証装置に認証対象者の生体情報を追加して登録するための、同一認証対象者のさらに別の生体情報（Ｃ）の入力を受け付けると、生体情報識別部１３は、登録生体情報データベース１２に先に登録した生体情報（Ａ）および生体情報（Ｂ）の各々と、生体情報入力部１１に入力した同一認証対象者のさらに別の生体情報（Ｃ）と、の類似度を算出する。生体情報識別部１３は、生体情報（Ａ）および生体情報（Ｂ）の各々と別の生体情報（Ｃ）との類似度の少なくとも１つが、所定の数値範囲にあれば、生体情報入力部１１に入力した別の生体情報（Ｃ）を同一の認証対象者の生体情報と判定し、同一の認証対象者の生体情報として登録生体情報データベース１２に追加して登録する。
【００３２】
登録生体情報データベース１２が生体情報（Ｃ）を記憶した後、生体情報入力部１１が、本発明の実施の形態の生体情報認証装置に認証対象者の生体情報を追加して登録するための、同一認証対象者のさらに別の生体情報（Ｄ）の入力を受け付けた場合も、同様に、生体情報識別部１３は、生体情報（Ａ）、生体情報（Ｂ）および生体情報（Ｃ）の各々と別の生体情報（Ｄ）との類似度の少なくとも１つが、所定の数値範囲にあれば、生体情報入力部１１に入力した別の生体情報（Ｄ）を同一の認証対象者の生体情報と判定し、同一の認証対象者の生体情報として登録生体情報データベース１２に追加して登録することになる。
【００３３】
なお、登録生体情報データベース１２に記憶した複数の生体情報各々と、生体情報入力部１１に入力した生体情報と、の類似度の少なくとも１つが所定の数値範囲にある場合に、生体情報入力部１１に入力した生体情報を登録生体情報データベース１２に追加して登録するように記載したが、登録生体情報データベース１２に記憶した生体情報の個数に応じて、所定の数値範囲を調整してもよい。具体的には、登録生体情報データベース１２に記憶した生体情報の個数が増加するにしたがって、所定の数値範囲の始点の数値および終点の数値を増加するようにして、生体情報識別部１３が登録可能と判定する基準を厳しくしてもよい。
【００３４】
また、登録生体情報データベース１２に記憶した生体情報（Ａ）〜（Ｄ）の各々と、生体情報入力部１１に入力した生体情報（Ｅ）と、の類似度に基づいて、生体情報（Ｅ）を同一の認証対象者の生体情報として登録可能か否かを判定する手法は、上述の少なくとも１つの類似度から判定する手法に限るものではなく、全ての類似度の平均値から判定する手法や、最も大きい（あるいは、小さい）数値の類似度から判定する手法や、数値の大きい上位いくつかの類似度から判定する手法等、種々の手法を適用することができる。
【００３５】
次に、本発明の実施の形態の生体情報認証装置による、認証対象者の生体情報登録後の、認証対象者の生体情報を認証する際の各部の処理を説明する。まず、生体情報入力部１１が認証対象者の生体情報（Ｅ）の入力を受け付けると、生体情報照合部１４は、登録生体情報データベース１２に記憶した生体情報（Ａ）〜（Ｄ）の各々と、生体情報入力部１１に入力した生体情報（Ｅ）と、の類似度を算出する。生体情報照合部１４は、生体情報（Ａ）〜（Ｄ）の各々と生体情報（Ｅ）との類似度に基づいて、例えば全ての類似度の平均値が所定の閾値以上（図２では類似度３５％以上）であれば、生体情報入力部１１に入力した生体情報（Ｅ）と登録生体情報データベース１２に登録した生体情報（Ａ）〜（Ｄ）とが、同一の認証対象者の生体情報と判定する。
【００３６】
なお、登録生体情報データベース１２に記憶した生体情報（Ａ）〜（Ｄ）の各々と、生体情報入力部１１に入力した生体情報（Ｅ）と、の類似度に基づいて、同一の認証対象者か否かを判定する手法は、上述の全ての類似度の平均値から判定する手法に限るものではなく、最も大きい（あるいは、小さい）数値の類似度から判定する手法や、数値の大きい上位いくつかの類似度から判定する手法等、種々の手法を適用することができる。
【００３７】
また、生体情報照合部１４は、認証対象者の生体情報を照合した後、以下のように動作してもよい。生体情報照合部１４は、生体情報（Ａ）〜（Ｄ）の各々と生体情報（Ｅ）との類似度に基づいて、生体情報入力部１１に入力した生体情報（Ｅ）と登録生体情報データベースに登録した生体情報（Ａ）〜（Ｄ）とが、同一の認証対象者の生体情報でないと判定した場合、生体情報（Ｅ）を生体情報識別部１３に出力する。生体情報識別部１３は、生体情報照合部１４から生体情報（Ｅ）を入力すると、登録生体情報データベース１２に登録した生体情報（Ａ）〜（Ｄ）の各々と、生体情報照合部１４から入力した生体情報（Ｅ）と、の類似度の少なくとも１つが、所定の数値範囲にあれば、生体情報照合部１４から入力した生体情報（Ｅ）を同一の認証対象者の生体情報として登録生体情報データベース１２に追加して登録する。
【００３８】
このように、認証対象者の生体情報を認証するために生体情報入力部１１に入力した生体情報のうちの、生体情報照合部１４が同一の認証対象者のものでないと判定した生体情報を生体情報識別部１３に入力して、生体情報識別部１３が登録生体情報データベース１２に登録可能か否かを判定することにより、生体情報入力部に入力した生体情報を効率的に利用して、登録生体情報データベースに登録することができる。
【００３９】
なお、登録生体情報データベースには、認証対象者の生体情報を予め、複数個数登録しておくことが好ましいため、所定個数の生体情報を記憶するまでは、認証対象者に認証を開始させないようにしてもよい。
【００４０】
次に、本発明の実施の形態の生体情報認証装置における生体情報登録処理の流れを、カメラによって撮像した顔画像を用いて顔認証を行う場合を例に挙げて、生体情報認証装置に備えられた表示部に表示される顔画像表示例を参照しながら説明する。図３に、本発明の実施の形態の生体情報認証装置における、生体情報登録時の処理フローを、図４に、本発明の実施の形態の生体情報認証装置の表示部における、生体情報登録時の画像表示例を、示す。なお、カメラは、図１の生体情報入力部１１に相当し、撮像した認証対象者の顔画像を入力する。また、表示部は、認証対象者が顔認証を快適に行うための各種情報（例えば、確認、選択、決定を促す画面、生体情報識別部１３の識別結果または生体情報照合部１４の照合結果）を出力するものである。
【００４１】
認証対象者が認証用の顔画像の登録を開始すると、生体情報認証装置は、カメラを起動する（Ｓ３０１）。生体情報識別部１３は、登録生体情報データベース１２に登録した認証対象者の顔画像の登録個数を確認して（Ｓ３０２）、認証対象者の顔画像が所定の個数未満であれば（Ｓ３０３、ＹＥＳ）、表示部は、図４（ａ）に示す新規登録説明画面を表示して、生体情報認証時に高い照合精度を得るために撮影環境を変えた認証用の顔画像が所定の個数まであと何個必要かを通知する（Ｓ３０４）。認証対象者の顔画像が所定の個数以上であれば（Ｓ３０３、ＮＯ）、表示部は、図４（ｂ）に示す追加登録説明画面を表示して、顔画像の登録個数については通知せずに、生体情報認証時にさらに高い照合精度を得るために撮影環境を変えて認証用の顔画像を撮像するよう通知する（Ｓ３０５）。
【００４２】
生体情報認証装置は、ステップ３０４またはステップ３０５の処理の後、カメラに撮像を開始させると（Ｓ３０６）、表示部は、カメラにより撮像中の画像（図４（ｃ）に示すプレビュー画面）を表示する（Ｓ３０７）。表示部は、認証対象者の顔認証の照合精度を向上させるために、プレビュー画面の中心に配置した顔位置のターゲット４１に合わせて顔画像を撮像するよう認証対象者に促して、認証対象者の顔が常に画像中央に配置するようにしてもよい。カメラが認証対象者によってシャッターが切られたことを認識すると（Ｓ３０８、ＹＥＳ）、表示部はシャッターが切られた時点にカメラが撮像した画像（図４（ｄ）に示すポストビュー画面）を表示する（Ｓ３０９）。
【００４３】
表示部は、ポストビュー画面を表示した後、図４（ｅ）に示す画像確認画面を表示して、ポストビュー画面に表示した画像を認証用の顔画像として登録するか否かを促す（Ｓ３１０）。認証対象者がポストビュー画面に表示した画像を認証用の顔画像として登録することを選択すると（Ｓ３１１、ＹＥＳ）、生体情報識別部１３はポストビュー画面に表示した顔画像と登録生体情報データベース１２に記憶した顔画像との照合を開始する（Ｓ３１２）。一方、認証対象者がポストビュー画面に表示した画像を認証用の顔画像として登録しないことを選択すると（Ｓ３１１、ＮＯ）、ステップ３０７の処理に戻って、表示部はプレビュー画面をする。
【００４４】
ステップＳ３１２の処理について、図５に示す、本発明の実施の形態の生体情報認証装置における、生体情報の登録可、不可の判定時の処理フローを参照して詳細に説明する。
【００４５】
生体情報識別部１３は、登録生体情報データベース１２に登録した認証対象者の顔画像の登録個数を確認して（Ｓ３１２ａ）、認証対象者の顔画像が１つもなければ（Ｓ３１２ｂ、ＮＯ）、ポストビュー画面に表示した顔画像を認証用の顔画像として登録可能と判定する（Ｓ３１２ｅ）。また、ステップ３１２ａの処理において、認証対象者の顔画像の個数が１つ以上あれば（Ｓ３１２ｂ、ＹＥＳ）、生体情報識別部１３は、ポストビュー画面に表示した顔画像と登録生体情報データベース１２に登録した顔画像各々との類似度を算出する（Ｓ３１２ｃ）。生体情報識別部１３は、ポストビュー画面に表示した認証用の顔画像と登録生体情報データベース１２に登録した顔画像との類似度の少なくとも１つが、所定の数値範囲以内であれば（Ｓ３１２ｄ、ＹＥＳ）、ポストビュー画面に表示した顔画像を認証用の顔画像として登録可能と判定し（Ｓ３１２ｅ）、所定の数値範囲以内でなければ（Ｓ３１２ｄ、ＮＯ）、ポストビュー画面に表示した顔画像を認証用の顔画像として登録不可と判定する（Ｓ３１２ｆ）。
【００４６】
図３に戻って、ステップ３１２の処理を経て、生体情報識別部１３は、ポストビュー画面に表示した顔画像を認証用の顔画像として登録可能と判定した場合（Ｓ３１３、ＹＥＳ）、ポストビュー画面に表示した顔画像を登録生体情報データベース１２に登録する（Ｓ３１４）。一方、ポストビュー画面に表示した顔画像を認証用の顔画像として登録不可と判定した場合（Ｓ３１３、ＮＯ）、表示部は、図４（ｇ）に示す登録失敗画面を表示して、ポストビュー画面に表示した顔画像を認証用の顔画像として登録できなかったことを通知する（Ｓ３１５）。なお、ステップ３１４の処理において、図４（ｆ）に示すように、登録可能と判定した顔画像中に、顔部分を囲むようにしてターゲット４２を表示させ、顔画像中のどの部位を登録したかを表示するようにしても良い。
【００４７】
ステップ３１４の処理の後、生体情報識別部１３は、登録生体情報データベース１２に登録した認証対象者の顔画像の登録個数を確認して（Ｓ３１６）、認証対象者の顔画像が所定の個数未満であれば（Ｓ３１７、ＹＥＳ）、表示部は、図４（ａ）に示す新規登録説明画面を表示して、撮影環境を変えた認証用の顔画像が所定の個数まであと何個必要かを通知して（Ｓ３１８）、ステップ３０７の処理に戻る。また、生体情報識別部１３は、認証対象者の顔画像が所定の個数以上であれば（Ｓ３１７、ＮＯ）、表示部は、図４（ｈ）に示す新規登録完了画面を表示して、認証対象者の顔画像が所定の個数以上登録されていることを通知する（Ｓ３１９）。ステップ３２０の処理の後、さらに、撮影環境を変えて認証用の顔画像を撮像するよう認証対象者に促すために、図４（ｂ）に示す追加登録説明画面を表示して、ステップ３０７の処理に戻るようにしてもよい（Ｓ３２１）。
【００４８】
次に、本発明の実施の形態の生体情報認証装置における生体情報照合処理の流れを、生体情報認証装置に備えられたカメラによる顔認証の場合を例に挙げて、生体情報認証装置に備えられた表示部に表示される顔画像表示例を参照しながら説明する。図６に、本発明の実施の形態の生体情報認証装置における、生体情報照合時の処理フローを、図７に、本発明の実施の形態の生体情報認証装置の表示部における、生体情報照合時の画像表示例を、示す。
【００４９】
認証対象者が顔画像認証を開始すると、生体情報認証装置は、カメラを起動する（Ｓ６０１）。生体情報認証装置は、カメラに撮像を開始させると（Ｓ６０２）、表示部は、カメラにより撮像中の画像（図７（ａ）に示すプレビュー画面）を表示する（Ｓ６０３）。表示部は、認証対象者の顔認証の照合精度を向上させるために、プレビュー画面の中心に配置した顔位置のターゲット７１に合わせて顔画像を撮像するよう認証対象者に促して、認証対象者の顔が常に画像中央に配置するようにしてもよい。カメラが認証対象者によってシャッターが切られたことを認識すると（Ｓ６０４、ＹＥＳ）、表示部はシャッターが切られた時点にカメラが撮像した画像（図７（ｂ）に示すポストビュー画面）を表示する（Ｓ６０５）。
【００５０】
生体情報照合部１４は、ポストビュー画面に表示した顔画像と登録生体情報データベース１２に登録した顔画像各々との認証を開始する（Ｓ６０６）。生体情報照合部１４は、ポストビュー画面に表示した顔画像と登録生体情報データベース１２に登録した顔画像各々との類似度の平均値が所定の閾値未満であれば、ポストビュー画面に表示した顔画像と登録生体情報データベースに登録した顔画像とが同一の認証対象者のものでないと判定し（Ｓ６０７、ＹＥＳ）、図７（ｃ）に示す顔認証失敗画面を表示する（Ｓ６０８）。一方、生体情報照合部１４は、ポストビュー画面に表示した顔画像と登録生体情報データベース１２に登録した顔画像との類似度の平均値が所定の閾値以上であれば、ポストビュー画面に表示した顔画像と登録生体情報データベースに登録した顔画像とが同一の認証対象者のものであると判定し（Ｓ６０７、ＮＯ）、図７（ｄ）に示す顔認証成功画面を表示して（Ｓ６０９）、顔画像認証を終了する。なお、ポストビュー画面に表示した顔画像と登録生体情報データベース１２に記憶した顔画像各々との類似度に基づいて、同一の認証対象者か否かを判定する手法は、上述の類似度の平均値から判定する手法に限るものではない。
【００５１】
また、生体情報照合部１４は、ステップ６０８の後、以下のように動作してもよい。ステップ６０８の後、生体情報照合部１４は、ポストビュー画面に表示した顔画像を生体情報識別部１３に出力し、生体情報識別部１３は、ステップＳ３１２（Ｓ３１２ａ〜Ｓ３１２ｆ）と同様の処理を行う。
【００５２】
生体情報識別部１３は、ステップ３１２の処理を行い、ポストビュー画面に表示した顔画像を認証用の顔画像として登録可能と判定した場合（Ｓ６１０、ＹＥＳ）、図７（ｅ）に示す追加登録確認画面を表示部に表示して、認証対象者に認証用の顔画像として追加登録するか促し（Ｓ６１１）、認証対象者が追加登録することを選択すれば（Ｓ６１２、ＹＥＳ）、ポストビュー画面に表示した顔画像を登録生体情報データベース１２に登録する（Ｓ６１３）。一方、生体情報識別部１３がポストビュー画面に表示した顔画像を認証用の顔画像として登録不可と判定した場合（Ｓ６１０、ＮＯ）、生体情報照合部１４は、顔画像認証を終了する。
【００５３】
このように、認証対象者の生体情報を認証するためにカメラにより撮像した顔画像のうちの、生体情報照合部１４が同一の認証対象者のものでないと判定した顔画像を生体情報識別部１３に入力して、生体情報識別部１３が登録生体情報データベース１２に登録可能か否かを識別することにより、カメラにより撮像した顔画像を効率的に利用して、登録生体情報データベースに登録することができる。なお、本発明の実施の形態では、顔認証を行う際の生体情報認証装置について記載したが、指紋認証、声紋認証などの他の認証方法にも利用することが可能である。
【００５４】
なお、ステップ６１２の処理で、認証対象者が追加登録することを選択した場合、認証対象者固有の暗証番号の入力を促す画面を表示して、入力された暗証番号が認証対象者のものと一致する場合に、ステップ６１３の処理を実行するようにしてもよい。このようにすることで、認証対象者とは異なる人物の顔画像が、偶然、認証用の顔画像として登録可能と判定される場合であっても、誤って登録生体情報データベース１２に追加登録されることを防ぐことができる。
【産業上の利用可能性】
【００５５】
本発明の生体情報認証装置および生体情報認証方法は、照合に適した複数の生体情報を登録することにより、生体情報認証時の照合精度を向上させることができるという効果を奏し、予め登録した生体情報認証対象者の生体情報を用いて、該当認証対象者を照合する生体情報認証装置および生体情報認証方法の分野に有用である。
【図面の簡単な説明】
【００５６】
【図１】本発明の実施の形態の生体情報認証装置の構成図
【図２】本発明の実施の形態の生体情報認証装置における、生体情報を登録可能な類似度の数値範囲の一例
【図３】本発明の実施の形態の生体情報認証装置における、生体情報登録時の処理フロー
【図４】本発明の実施の形態の生体情報認証装置が備える表示部における、生体情報登録時の画像表示例
【図５】本発明の実施の形態の生体情報認証装置における、生体情報の登録可、不可の判定時の処理フロー
【図６】本発明の実施の形態の生体情報認証装置における、生体情報照合時の処理フロー
【図７】本発明の実施の形態の生体情報認証装置が備える表示部における、生体情報照合時の画像表示例
【符号の説明】
【００５７】
１１  生体情報入力部
１２  登録生体情報データベース
１３  生体情報識別部
１４  生体情報照合部
４１、７１  顔位置のターゲット
４２  顔を囲むターゲット
【図１】
2006127236.tif 000003
【図２】
2006127236.tif 000004
【図３】
2006127236.tif 000005
【図４】
2006127236.tif 000006
【図５】
2006127236.tif 000007
【図６】
2006127236.tif 000008
【図７】
2006127236.tif 000009